(57)【要約】  本発明は、ａ）１つまたは複数の繰り返し構造単位（ａ１）および１つまたは複数の繰り返し構造単位（ａ２）2017534731.tif 000040［式中、  Ｇ１は、１つまたは複数の（ＣｎＨ２ｎＯ）であり、ｎは２〜１０の数であり、  Ｒ１は、ＨまたはＣＯＲ２であり、  Ｒ２は、Ｘ−（Ｃ３Ｈ６Ｏ）ｐ−（Ｃ２Ｈ４Ｏ）ｑ−Ｙ（ここでＸはＮＨまたはＯであり、ＹはＣ１−３０アルキルであり、上記（Ｃ３Ｈ６Ｏ）−および（Ｃ２Ｈ４Ｏ）−基は、ブロック状、交互、周期的および／または統計的に配置されていてよく、基（Ｃ３Ｈ６Ｏ）−および（Ｃ２Ｈ４Ｏ）−のＸ−および−Ｙへの連結は自由に変わることができる）またはＯ−Ｇ１−Ｈであり、  ｐは、モル平均に基づいて、０〜６０の数であり、  ｑは、モル平均に基づいて、１〜３００の数である］を含む１種または複数種のポリエステル、およびｂ）１種または複数種の界面活性剤、を含む液体洗濯用洗剤組成物に関する。  成分ａ）の１種または複数種のポリエステルは、アルカリ性の環境における有利な安定性を有し、有益な溶解性を有し、有利にはアルカリ性組成物、例えば液体洗濯用洗剤組成物に明らかに可溶性であり、また、脂肪質および油性の染みに対する有利なソイルリリース特性および汚れ除去特性を有する。
2017534731.tif 000002
【特許請求の範囲】
【請求項１】
ａ）１つまたは複数の繰り返し構造単位（ａ１）および１つまたは複数の繰り返し構造単位（ａ２）
【化１】
2017534731.tif 000037
［式中、
Ｇ１は、１つまたは複数の（ＣｎＨ２ｎＯ）であり、ここでｎは２〜１０、好ましくは２〜６の数であり、より好ましくは（Ｃ２Ｈ４Ｏ）、（Ｃ３Ｈ６Ｏ）、（Ｃ４Ｈ８Ｏ）または（Ｃ６Ｈ１２Ｏ）であり、
Ｒ１は、ＨまたはＣＯＲ２であり、
Ｒ２は、Ｘ−（Ｃ３Ｈ６Ｏ）ｐ−（Ｃ２Ｈ４Ｏ）ｑ−Ｙ（ここでＸはＮＨまたはＯであり、ＹはＣ１−３０アルキル、好ましくはＣ１−４アルキル、より好ましくはメチルであり、上記（Ｃ３Ｈ６Ｏ）−および（Ｃ２Ｈ４Ｏ）−基は、ブロック状、交互、周期的および／または統計的に、好ましくはブロック状および／または統計的に配置されていてよく、基（Ｃ３Ｈ６Ｏ）−および（Ｃ２Ｈ４Ｏ）−のＸ−および−Ｙへの連結は自由に変わることができる）またはＯ−Ｇ１−Ｈ、好ましくはＸ−（Ｃ３Ｈ６Ｏ）ｐ−（Ｃ２Ｈ４Ｏ）ｑ−Ｙであり、
ｐは、モル平均に基づいて、０〜６０、好ましくは０〜３０、より好ましくは０〜１５の数であり、
ｑは、モル平均に基づいて、１〜３００、好ましくは５〜１２０、より好ましくは１５〜５０の数である］
を含む１種または複数種のポリエステル、
および
ｂ）１種または複数種の界面活性剤、
を含む液体の洗濯用洗剤組成物。
【請求項２】
１つまたは複数の繰り返し構造単位（ａ２）が、繰り返し構造単位（ａ２．１）および（ａ２．２）からなる群から選択されることを特徴とする、請求項１に記載の液体洗濯用洗剤組成物。
【化２】
2017534731.tif 000038
【請求項３】
Ｒ２の定義においてＸがＮＨであることを特徴とする、請求項１または２に記載の液体洗濯用洗剤組成物。
【請求項４】
ｐおよびｑの合計が、モル平均に基づいて、１〜３６０の数、好ましくは５〜１５０の数、より好ましくは１５〜６５の数であることを特徴とする、請求項１〜３のいずれか１つに記載の液体洗濯用洗剤組成物。
【請求項５】
成分ａ）の１種または複数種のポリエステルが、追加的に１つまたは複数の繰り返し構造単位（ａ３）を含むことを特徴とする、請求項１〜４のいずれか１つに記載の液体洗濯用洗剤組成物。
【化３】
2017534731.tif 000039
［式中、
Ｇ１は、１つまたは複数の（ＣｎＨ２ｎＯ）であり、ここでｎは２〜１０、好ましくは２〜６の数であり、より好ましくは（Ｃ２Ｈ４Ｏ）、（Ｃ３Ｈ６Ｏ）、（Ｃ４Ｈ８Ｏ）または（Ｃ６Ｈ１２Ｏ）であり、そして
Ｘ＋は、対イオン、好ましくはＮａ＋、Ｋ＋、Ｃａ２＋／２またはＮＨ４＋、より好ましくはＮａ＋である］。
【請求項６】
成分ａ）の１種または複数種のポリエステルの平均分子量（Ｍｗ）が３０００〜４００００ｇ／ｍｏｌであることを特徴とする、請求項１〜５のいずれか１つに記載の液体洗濯用洗剤組成物。
【請求項７】
成分ａ）の１種または複数種のポリエステルにおける繰り返し構造単位（ａ１）の平均数が、２〜２００、好ましくは２〜９０、より好ましくは３〜７５、より一層好ましくは３〜４５であり、成分ａ）の１種または複数種のポリエステルにおける繰り返し構造単位（ａ２）の平均数が、１〜２５、好ましくは１〜１５であることを特徴とする、請求項１〜６のいずれか１つに記載の液体洗濯用洗剤組成物。
【請求項８】
成分ａ）の１種または複数種のポリエステルにおける繰り返し構造単位（ａ１）の平均数と成分ａ）の１種または複数種のポリエステルにおける繰り返し構造単位（ａ２）の平均数との比が、２〜８、好ましくは３〜５であることを特徴とする、請求項１〜７のいずれか１つに記載の液体洗濯用洗剤組成物。
【請求項９】
成分ａ）の１種または複数種のポリエステルにおける繰り返し構造単位（ａ１）および（ａ２）の全量が、成分ａ）の１種または複数種のポリエステルの全重量を基準として、少なくとも３０重量％、好ましくは少なくとも５０重量％、より好ましくは少なくとも８０重量％、より一層好ましくは少なくとも９０重量％であることを特徴とする、請求項１〜８のいずれか１つに記載の液体洗濯用洗剤組成物。
【請求項１０】
成分ａ）の１種または複数種のポリエステルにおける繰り返し構造単位（ａ３）の量が、成分ａ）の１種または複数種のポリエステルの全重量を基準として、少なくとも０．１重量％、好ましくは０．１重量％〜２５重量％、より好ましくは０．５重量％〜２０重量％であることを特徴とする、請求項５〜９のいずれか１つに記載の液体洗濯用洗剤組成物。
【請求項１１】
成分ａ）の１種または複数種のポリエステルの繰り返し構造単位が専ら、繰り返し構造単位（ａ１）および（ａ２）からなる群から選択されることを特徴とする、請求項１〜４および６〜９のいずれか１つに記載の液体洗濯用洗剤組成物。
【請求項１２】
成分ａ）の１種または複数種のポリエステルが、それぞれの場合に液体洗濯用洗剤組成物の全重量を基準として、少なくとも０．１重量％、好ましくは０．１重量％〜１０重量％、より好ましくは０．２重量％〜５重量％、より一層好ましくは０．２５重量％〜３重量％の量で存在することを特徴とする、請求項１〜１１のいずれか１つに記載の液体洗濯用洗剤組成物。
【請求項１３】
成分ｂ）の１種または複数種の界面活性剤が、陰イオン、非イオン、陽イオンおよび両性イオン界面活性剤からなる群から選択されることを特徴とする、請求項１〜１２のいずれか１つに記載の液体洗濯用洗剤組成物。
【請求項１４】
成分ｂ）の１種または複数種の界面活性剤が、直鎖状アルキルベンゼンスルホネート類、アルキルエーテルスルフェート類、非イオン界面活性剤、アミンオキシド類およびベタイン類からなる群から選択され、好ましくは、直鎖状アルキルベンゼンスルホネート類、アルキルエーテルスルフェート類および非イオン界面活性剤からなる群から選択されることを特徴とする、請求項１３に記載の液体洗濯用洗剤組成物。
【請求項１５】
成分ｂ）の１種または複数種の界面活性剤が、それぞれの場合に液体洗濯用洗剤組成物の全重量を基準として、少なくとも５重量％、好ましくは５重量％〜６５重量％、より好ましくは６重量％〜６０重量％、より一層好ましくは７重量％〜５５重量％の量で存在することを特徴とする、請求項１〜１４のいずれか１つに記載の液体洗濯用洗剤組成物。
【発明の詳細な説明】
【技術分野】
【０００１】
本発明は、改善された加水分解安定性を有するソイルリリースポリマーを含む液体洗濯用洗剤組成物に関する。上記組成物は、ソイルリリースポリマーを含まない組成物と比較して、良好なソイルリリース性能および有利な汚れの除去を示す。
【背景技術】
【０００２】
織物を含むポリエステルは、織物の親水性を増加させるために表面改質することができ、これは汚れの除去を改善することができる。そのような表面改質は、例えばＧＢ１，０８８，９８４（特許文献１）で概要が説明されるように、織物の直接処理を通して、またはより好ましくは、例えばＵＳ３，９６２，１５２（特許文献２）において開示されるように、洗浄プロセスにおいて表面改質ポリマーを付着させることによって、達成することができる。洗浄を通して付与された再生可能なソイルリリース仕上げは、油性の汚れからの繊維の連続的な保護を保証する。
【０００３】
これらのプロセスに使用されるポリマーは、ＵＳ３，９５９，２３０（特許文献３）およびＵＳ３，８９３，９２９（特許文献４）にさらに概要が示されるように、典型的には、ポリエステルミッドブロックと、１つまたは２つのポリエチレングリコールのエンドブロックとからなる。
【０００４】
ポリマー構造に陰イオン性部分を含めることにより、これらのソイルリリースポリマーの有効性が改善され、特にそれらの抗再付着特性が改善されることが知られている。例えば、ＤＥ１０  ２００７  ０１３  ２１７（特許文献５）およびＥＰ１  ９６６２７３（特許文献６）は、洗濯用洗剤におけるソイルリリース剤として使用できるアニオン性ポリエステルを開示している。このようなアニオン性ソイルリリースポリマーは、ハンドリングおよび洗剤組成物との相容性のために、粉末洗剤における使用に特によく適している。
【０００５】
液体洗濯用洗剤における非イオン性ソイルリリース剤の使用は、当技術分野においてよく知られている。ＧＢ１，４６６，６３９（特許文献７）、ＵＳ４，１３２，６８０（特許文献８）、ＵＳ４，７０２，８５７（特許文献９）、ＥＰ０  １９９  ４０３（特許文献１０）、ＵＳ４，７１１，７３０（特許文献１１）、ＵＳ４，７１３，１９４（特許文献１２）およびＵＳ４，７５９，８７６（特許文献１３）は、ソイルリリースポリマーを含有する水性洗濯用洗剤を開示している。
【０００６】
先行技術に記載される既存のソイルリリースポリマーに関する主要な難題の１つは、液体洗濯用洗剤組成物において通常起こるように、アルカリ条件下でのそれらの加水分解への感受性である。
【先行技術文献】
【特許文献】
【０００７】
【特許文献１】ＧＢ１，０８８，９８４
【特許文献２】ＵＳ３，９６２，１５２
【特許文献３】ＵＳ３，９５９，２３０
【特許文献４】ＵＳ３，８９３，９２９
【特許文献５】ＤＥ１０  ２００７  ０１３  ２１７
【特許文献６】ＥＰ１  ９６６２７３
【特許文献７】ＧＢ１，４６６，６３９
【特許文献８】ＵＳ４，１３２，６８０
【特許文献９】ＵＳ４，７０２，８５７
【特許文献１０】ＥＰ０  １９９  ４０３
【特許文献１１】ＵＳ４，７１１，７３０
【特許文献１２】ＵＳ４，７１３，１９４
【特許文献１３】ＵＳ４，７５９，８７６
【発明の概要】
【発明が解決しようとする課題】
【０００８】
従って、本発明により解決されるべき課題は、有利な保管安定性とともに良好なソイルリリース性能を有する液体の洗濯用洗剤組成物を提供することであった。
【０００９】
驚くべきことに、この課題が、１つまたは複数の繰り返し構造単位（ａ１）および１つまたは複数の繰り返し構造単位（ａ２）
【００１０】
【化１】
2017534731.tif 000003
［式中、
Ｇ１は、１つまたは複数の（ＣｎＨ２ｎＯ）であり、ここでｎは２〜１０、好ましくは２〜６の数であり、より好ましくは（Ｃ２Ｈ４Ｏ）、（Ｃ３Ｈ６Ｏ）、（Ｃ４Ｈ８Ｏ）または（Ｃ６Ｈ１２Ｏ）であり、
Ｒ１は、ＨまたはＣＯＲ２であり、
Ｒ２は、Ｘ−（Ｃ３Ｈ６Ｏ）ｐ−（Ｃ２Ｈ４Ｏ）ｑ−Ｙ（ここでＸはＮＨまたはＯであり、ＹはＣ１−３０アルキル、好ましくはＣ１−４アルキル、より好ましくはメチルであり、上記（Ｃ３Ｈ６Ｏ）−および（Ｃ２Ｈ４Ｏ）−基は、ブロック状、交互、周期的および／または統計的に、好ましくはブロック状および／または統計的に配置されていてよく、基（Ｃ３Ｈ６Ｏ）−および（Ｃ２Ｈ４Ｏ）−のＸ−および−Ｙへの連結は自由に変わることができる）またはＯ−Ｇ１−Ｈ、好ましくはＸ−（Ｃ３Ｈ６Ｏ）ｐ−（Ｃ２Ｈ４Ｏ）ｑ−Ｙであり、
ｐは、モル平均に基づいて、０〜６０、好ましくは０〜３０、より好ましくは０〜１５の数であり、
ｑは、モル平均に基づいて、１〜３００、好ましくは５〜１２０、より好ましくは１５〜５０の数である］
を含む１種または複数種のポリエステルを、１種または複数種の界面活性剤を含む液体洗濯用洗剤組成物に組み入れることにより解決できることが見出された。
【００１１】
従って、本発明の主題は、
ａ）１つまたは複数の繰り返し構造単位（ａ１）および１つまたは複数の繰り返し構造単位（ａ２）
【００１２】
【化２】
2017534731.tif 000004
［式中、
Ｇ１は、１つまたは複数の（ＣｎＨ２ｎＯ）であり、ここでｎは２〜１０、好ましくは２〜６の数であり、より好ましくは（Ｃ２Ｈ４Ｏ）、（Ｃ３Ｈ６Ｏ）、（Ｃ４Ｈ８Ｏ）または（Ｃ６Ｈ１２Ｏ）であり、
Ｒ１は、ＨまたはＣＯＲ２であり、
Ｒ２は、Ｘ−（Ｃ３Ｈ６Ｏ）ｐ−（Ｃ２Ｈ４Ｏ）ｑ−Ｙ（ここでＸはＮＨまたはＯであり、ＹはＣ１−３０アルキル、好ましくはＣ１−４アルキル、より好ましくはメチルであり、上記（Ｃ３Ｈ６Ｏ）−および（Ｃ２Ｈ４Ｏ）−基は、ブロック状、交互、周期的および／または統計的に、好ましくはブロック状および／または統計的に配置されていてよく、基（Ｃ３Ｈ６Ｏ）−および（Ｃ２Ｈ４Ｏ）−のＸ−および−Ｙへの連結は自由に変わることができる）またはＯ−Ｇ１−Ｈ、好ましくはＸ−（Ｃ３Ｈ６Ｏ）ｐ−（Ｃ２Ｈ４Ｏ）ｑ−Ｙであり、
ｐは、モル平均に基づいて、０〜６０、好ましくは０〜３０、より好ましくは０〜１５の数であり、
ｑは、モル平均に基づいて、１〜３００、好ましくは５〜１２０、より好ましくは１５〜５０の数である］
を含む１種または複数種のポリエステル、および
ｂ）１種または複数種の界面活性剤、
を含む液体洗濯用洗剤組成物である。
【００１３】
本発明の液体洗濯用洗剤組成物は、標準温度および圧力下で液体特性を示す。
【００１４】
繰り返し構造単位（ａ２）において、基Ｒ１、ＣＯおよびＣＯＲ２は、芳香族環の５つのフリーな位置のうちの何れかに、好ましくはトリメリット酸無水物またはピロメリット酸二無水物の反応において生じるであろう位置に、結合することができる。
【００１５】
トリメリット酸無水物の場合（Ｒ１はＨである）、３つの非水素基の結合部位は、以下のように表すことができる：
【００１６】
【化３】
2017534731.tif 000005
好ましくは、トリメリット酸無水物の場合、繰り返し構造単位（ａ２）における基ＣＯおよびＣＯＲ２は、以下の配置の何れかを採用することができる：
【００１７】
【化４】
2017534731.tif 000006
ピロメリット酸二無水物の場合（Ｒ１はＣＯＲ２である）、４つの非水素基の結合部位は、以下のように表される：
【００１８】
【化５】
2017534731.tif 000007
好ましくは、ピロメリット酸二無水物の場合、繰り返し構造単位（ａ２）における基ＣＯ、ＣＯＲ２およびＲ１（この場合もＲ１はＣＯＲ２である）は、以下の配置の何れかを採用することができる：
【００１９】
【化６】
2017534731.tif 000008
本発明の液体洗濯用洗剤組成物が、１を超える成分ａ）のポリエステル分子を含む場合、繰り返し構造単位（ａ１）の基Ｇ１の定義は、それらのポリエステル分子間で変わり得る。さらに、成分ａ）の１つのポリエステル分子が、１を超える繰り返し構造単位（ａ１）を含む場合、基Ｇ１の定義は、それらの繰り返し構造単位間で変わり得る。
【００２０】
本発明の液体洗濯用洗剤組成物が、１を超える成分ａ）のポリエステル分子を含む場合、繰り返し構造単位（ａ２）の基Ｒ１、Ｇ１およびＲ２のそれぞれの定義は、それらのポリエステル分子間で変わり得る。さらに、成分ａ）の１つのポリエステル分子が、１を超える繰り返し構造単位（ａ２）を含む場合、基Ｒ１、Ｇ１およびＲ２のそれぞれの定義は、それらの繰り返し構造単位間で変わり得る。
【００２１】
Ｒ２の（Ｃ３Ｈ６Ｏ）−および（Ｃ２Ｈ４Ｏ）−基は、ブロック状、交互、周期的および／または統計的に、好ましくはブロック状および／または統計的に配置されていてよい。これは、基Ｒ２の１つの例の中で、基（Ｃ３Ｈ６Ｏ）−および（Ｃ２Ｈ４Ｏ）−は、例えば、純粋に統計的またはブロック状の形態で配置されていてよいが、統計的およびブロック状の両方、例えば統計的な様式で配置された（Ｃ３Ｈ６Ｏ）−および（Ｃ２Ｈ４Ｏ）−の小さいブロックとみなされ得る形態で、あるいは、基（Ｃ３Ｈ６Ｏ）−および（Ｃ２Ｈ４Ｏ）−の統計的およびブロック状の配列の隣接した例が存在する形態で配置されていてもよい。
【００２２】
基（Ｃ３Ｈ６Ｏ）−および（Ｃ２Ｈ４Ｏ）−のＸ−および−Ｙへの連結は自由に変わることができる。これは、例えば、Ｘ−および−Ｙの両者が（Ｃ３Ｈ６Ｏ）−基に連結してもよく、それら両者が（Ｃ２Ｈ４Ｏ）−基に連結してもよく、またはそれらは（Ｃ２Ｈ４Ｏ）−および（Ｃ３Ｈ６Ｏ）−から選択される異なる基に連結してもよい。
【００２３】
ＷＯ２０１４／０１９６５８およびＷＯ２０１４／０１９６５９は、エンドブロックに少数のプロピレンオキシド単位を含ませることによってもたらされる有利なアルカリ安定性を有する、直鎖状のソイルリリースポリマーを記載している。そのようなポリマーの液体洗濯用洗剤における使用が、ＷＯ２０１４／０１１９０３に記載されている。
【００２４】
本発明の液体洗濯用洗剤組成物の１つの利点は、成分ａ）の１種または複数種のソイルリリースポリエステルの加水分解安定性である。
【００２５】
本発明の液体洗濯用洗剤組成物は、主要な溶媒として水を、あるいは、液体洗濯用洗剤組成物において一般に使用される有機溶媒またはヒドロトロープ、例えばモノプロピレングリコール（ｍｏｎｏｐｒｏｙｌｅｎｅ  ｇｌｙｃｏｌ）、グリセロール、エタノールおよび他のグリコール類を含むことができる。低量の水を含有する系が、単回用量フォーマット、例えばパウチ類またはカプセル類に特に適しているが、それらでは高レベルの水はパウチの水溶性コーティングを損傷し得る。
【００２６】
本発明の液体洗濯用洗剤組成物の成分ａ）の１種または複数種のポリエステルにおいて、１つまたは複数の繰り返し構造単位（ａ２）は、好ましくは、繰り返し構造単位（ａ２．１）および（ａ２．２）からなる群から選択される。
【００２７】
【化７】
2017534731.tif 000009
本発明の液体洗濯用洗剤組成物の成分ａ）の１種または複数種のポリエステルにおいて、Ｒ２の定義におけるＸは、好ましくはＮＨである。
【００２８】
本発明の液体洗濯用洗剤組成物の成分ａ）の１種または複数種のポリエステルにおいて、ｐおよびｑの合計は、モル平均に基づいて、好ましくは１〜３６０の数、より好ましくは５〜１５０の数、さらに一層好ましくは１５〜６５の数である。
【００２９】
上記液体洗濯用洗剤組成物の１つの好ましい実施態様において、成分ａ）の１種または複数種のポリエステルはさらに、１つまたは複数の繰り返し構造単位（ａ３）を含む
【００３０】
【化８】
2017534731.tif 000010
［式中、
Ｇ１は、１つまたは複数の（ＣｎＨ２ｎＯ）であり、ここでｎは２〜１０、好ましくは２〜６の数であり、より好ましくは（Ｃ２Ｈ４Ｏ）、（Ｃ３Ｈ６Ｏ）、（Ｃ４Ｈ８Ｏ）または（Ｃ６Ｈ１２Ｏ）であり、そして
Ｘ＋は、対イオン、好ましくはＮａ＋、Ｋ＋、Ｃａ２＋／２またはＮＨ４＋、より好ましくはＮａ＋である］。
【００３１】
好ましくは、本発明の液体の洗濯用洗剤組成物の成分ａ）の１種または複数種のポリエステルの平均分子量（Ｍｗ）は、３０００〜４００００ｇ／ｍｏｌである。
【００３２】
本発明の液体の洗濯用洗剤組成物の成分ａ）の１種または複数種のポリエステルの平均分子量（Ｍｗ）は、ＧＰＣ分析、好ましくは以下に詳述されるようなＧＰＣ分析により決定することができる：多孔度３０Åおよび粒径１０μｍを有する３００ｘ８ｍｍの寸法のＰＳＳ  Ｓｕｐｒｅｍａカラム上に、１０μｌのサンプルを注入する。検出は、多波長検出器上において２３５ｎｍでモニターする。使用する溶出剤は、４５／５５％（ｖ／ｖ）水／アセトニトリル混合物における１．２５ｇ／ｌのリン酸水素二ナトリウムである。分離は、０．８ｍｌ／分の流量で実施する。定量化は、異なる分子量のポリエチレングリコールの標準サンプルを外的に較正することにより行う。  
【００３３】
本発明の液体洗濯用洗剤組成物の成分ａ）の１種または複数種のポリエステルにおいて、繰り返し構造単位（ａ１）の平均数は、好ましくは２〜２００、より好ましくは２〜９０、より一層好ましくは３〜７５、極めて好ましくは３〜４５であり、繰り返し構造単位（ａ２）の平均数は、好ましくは１〜２５、より好ましくは１〜１５である。
【００３４】
本発明の液体洗濯用洗剤組成物の成分ａ）の１種または複数種のポリエステルにおいて、繰り返し構造単位（ａ１）の平均の数と繰り返し構造単位（ａ２）の平均の数との比は、好ましくは２〜８、より好ましくは３〜５である。
【００３５】
本発明の液体洗濯用洗剤組成物の成分ａ）の１種または複数種のポリエステルにおいて、繰り返し構造単位（ａ１）および（ａ２）の全量は、液体洗濯用洗剤組成物における成分ａ）の１種または複数種のポリエステルの全重量を基準として、好ましくは、少なくとも３０重量％、より好ましくは少なくとも５０重量％、さらに一層好ましくは少なくとも８０重量％、極めて好ましくは少なくとも９０重量％である。
【００３６】
本発明の液体洗濯用洗剤組成物の成分ａ）の１種または複数種のポリエステルにおいて、繰り返し構造単位（ａ３）の量は、液体洗濯用洗剤組成物における成分ａ）の１種または複数種のポリエステルの全重量を基準として、好ましくは、少なくとも０．１重量％、より好ましくは０．１重量％〜２５重量％、さらに一層好ましくは０．５重量％〜２０重量％である。
【００３７】
本発明の１つの好ましい実施態様において、本発明の液体洗濯用洗剤組成物の成分ａ）のポリエステルの１つまたは複数の繰り返し構造単位は、専ら、繰り返し構造単位（ａ１）および（ａ２）からなる群から選択される。
【００３８】
本発明の液体洗濯用洗剤組成物のさらなる好ましい実施態様において、以下に記載され、さらに「ポリエステルＡ」と呼ばれる、成分ａ）の１種または複数種のポリエステルは、繰り返し構造単位（ａ１）および（ａ２）からなる群から専ら選択される繰り返し構造単位を含み、それにより、１つまたは複数の繰り返し構造単位（ａ１）および１つまたは複数の繰り返し構造単位（ａ２）が存在しなければならない
【００３９】
【化９】
2017534731.tif 000011
［式中、
Ｇ１は、（Ｃ３Ｈ６Ｏ）であり、
Ｒ１は、Ｈであり、
Ｒ２は、Ｘ−（Ｃ３Ｈ６Ｏ）ｐ−（Ｃ２Ｈ４Ｏ）ｑ−Ｙ（ここでＸはＮＨであり、ＹはＣ１−３０アルキル、好ましくはＣ１−４アルキル、より好ましくはメチルであり、上記（Ｃ３Ｈ６Ｏ）−および（Ｃ２Ｈ４Ｏ）−基は、ブロック状、交互、周期的および／または統計的に、好ましくは統計的に配置されていてよく、基（Ｃ３Ｈ６Ｏ）−および（Ｃ２Ｈ４Ｏ）−のＸ−および−Ｙへの連結は自由に変わることができる）またはＯ−Ｇ１−Ｈ、好ましくはＸ−（Ｃ３Ｈ６Ｏ）ｐ−（Ｃ２Ｈ４Ｏ）ｑ−Ｙであり、
ｐは、モル平均に基づいて、０〜１５、好ましくは２〜１５、より好ましくは５〜１４の数であり、
ｑは、モル平均に基づいて、１２〜１２０、好ましくは２０〜５０、より好ましくは２５〜４０、さらに一層好ましくは３０〜４０の数である］。
【００４０】
１種または複数種のポリエステルＡにおいて、繰り返し構造単位（ａ１）の平均の数は、好ましくは２〜１５、より好ましくは４〜１４、より一層好ましくは６〜１２である。
【００４１】
１種または複数種のポリエステルＡにおいて、繰り返し構造単位（ａ２）の平均の数は、好ましくは１〜１０、より好ましくは１〜５、より一層好ましくは１〜３である。
【００４２】
１種または複数種のポリエステルＡにおいて、繰り返し構造単位（ａ１）の平均の数と繰り返し構造単位（ａ２）の平均の数との比は、好ましくは２〜８、より好ましくは３〜５、より一層好ましくは４である。
【００４３】
本発明の液体洗濯用洗剤組成物の別のさらに好ましい実施態様において、以下に記載され、さらに「ポリエステルＢ」と呼ばれる、成分ａ）の１種または複数種のポリエステルは、繰り返し構造単位（ａ１）および（ａ２）からなる群から選択される繰り返し構造単位を含み、それにより、１つまたは複数の繰り返し構造単位（ａ１）および１つまたは複数の繰り返し構造単位（ａ２）が存在しなければならない
【００４４】
【化１０】
2017534731.tif 000012
［式中、
Ｇ１は、（Ｃ３Ｈ６Ｏ）であり、
Ｒ１は、Ｈであり、
Ｒ２は、Ｘ−（Ｃ３Ｈ６Ｏ）ｐ−（Ｃ２Ｈ４Ｏ）ｑ−Ｙ（ここでＸはＯであり、ＹはＣ１−３０アルキル、好ましくはＣ１−４アルキル、より好ましくはメチルであり、上記（Ｃ３Ｈ６Ｏ）−および（Ｃ２Ｈ４Ｏ）−基は、ブロック状、交互、周期的および／または統計的に配置されていてよく、基（Ｃ３Ｈ６Ｏ）−および（Ｃ２Ｈ４Ｏ）−のＸ−およびＹへの連結は自由に変わることができ、好ましくは、ブロック状に、（Ｃ３Ｈ６Ｏ）−ブロックがＸ−に連結し、（Ｃ２Ｈ４Ｏ）−ブロックがＹに連結している）またはＯ−Ｇ１−Ｈ、好ましくはＸ−（Ｃ３Ｈ６Ｏ）ｐ−（Ｃ２Ｈ４Ｏ）ｑ−Ｙであり、
ｐは、モル平均に基づいて、０〜２０、好ましくは０〜１０、より好ましくは０〜５の数であり、
ｑは、モル平均に基づいて、１２〜１２０、好ましくは３０〜６０、より好ましくは４０〜５０の数である］。
【００４５】
１種または複数種のポリエステルＢにおいて、繰り返し構造単位（ａ１）の平均の数は、好ましくは２０〜７０、より好ましくは２５〜５５、より一層好ましくは３５〜４５である。
【００４６】
１種または複数種のポリエステルＢにおいて、繰り返し構造単位（ａ２）の平均の数は、好ましくは１〜１５、より好ましくは５〜１３、より一層好ましくは８〜１２である。
【００４７】
１種または複数種のポリエステルＢにおいて、繰り返し構造単位（ａ１）の平均の数と繰り返し構造単位（ａ２）の平均の数との比は、好ましくは２〜８、より好ましくは３〜５、より一層好ましくは４である。
【００４８】
本発明の液体洗濯用洗剤組成物のさらに別の好ましい実施態様において、以下に記載され、さらに「ポリエステルＣ」と呼ばれる、成分ａ）の１種または複数種のポリエステルは、繰り返し構造単位（ａ１）および（ａ２）からなる群から専ら選択される繰り返し構造単位を含み、それにより、１つまたは複数の繰り返し構造単位（ａ１）および１つまたは複数の繰り返し構造単位（ａ２）が存在しなければならない
【００４９】
【化１１】
2017534731.tif 000013
［式中、
Ｇ１は、好ましくは３〜５部の（Ｃ３Ｈ６Ｏ）：１部の（Ｃ４Ｈ８Ｏ）の比で混合された、（Ｃ３Ｈ６Ｏ）および（Ｃ４Ｈ８Ｏ）の混合物であり、
Ｒ１は、Ｈであり、
Ｒ２は、Ｘ−（Ｃ３Ｈ６Ｏ）ｐ−（Ｃ２Ｈ４Ｏ）ｑ−Ｙ（ここでＸはＮＨであり、ＹはＣ１−３０アルキル、好ましくはＣ１−４アルキル、より好ましくはメチルであり、上記（Ｃ３Ｈ６Ｏ）−および（Ｃ２Ｈ４Ｏ）−基は、ブロック状、交互、周期的および／または統計的に、好ましくは統計的に配置されていてよく、基（Ｃ３Ｈ６Ｏ）−および（Ｃ２Ｈ４Ｏ）−のＸ−および−Ｙへの連結は自由に変わることができる）またはＯ−Ｇ１−Ｈ、好ましくはＸ−（Ｃ３Ｈ６Ｏ）ｐ−（Ｃ２Ｈ４Ｏ）ｑ−Ｙであり、
ｐは、モル平均に基づいて、０〜１５、好ましくは２〜１５、より好ましくは５〜１４の数であり、
ｑは、モル平均に基づいて、１２〜１２０、好ましくは２０〜５０、より好ましくは２５〜４０、さらに一層好ましくは３０〜４０の数である］。
【００５０】
１種または複数種のポリエステルＣにおいて、繰り返し構造単位（ａ１）の平均の数は、好ましくは２〜１５、より好ましくは４〜１４、より一層好ましくは６〜１２である。
【００５１】
１種または複数種のポリエステルＣにおいて、繰り返し構造単位（ａ２）の平均の数は、好ましくは１〜１０、より好ましくは１〜５、より一層好ましくは１〜３である。
【００５２】
１種または複数種のポリエステルＣにおいて、繰り返し構造単位（ａ１）の平均の数と繰り返し構造単位（ａ２）の平均の数との比は、好ましくは２〜８、より好ましくは３〜５、より一層好ましくは４である。  
【００５３】
本発明の液体洗濯用洗剤組成物のさらに別の好ましい実施態様において、以下に記載され、さらに「ポリエステルＤ」と呼ばれる、成分ａ）の１種または複数種のポリエステルは、繰り返し構造単位（ａ１）および（ａ２）からなる群から専ら選択される繰り返し構造単位を含み、それにより、１つまたは複数の繰り返し構造単位（ａ１）および１つまたは複数の繰り返し構造単位（ａ２）が存在しなければならない
【００５４】
【化１２】
2017534731.tif 000014
［式中、
Ｇ１は、（Ｃ３Ｈ６Ｏ）であり、
Ｒ１は、ＣＯＲ２であり、
Ｒ２は、Ｘ−（Ｃ３Ｈ６Ｏ）ｐ−（Ｃ２Ｈ４Ｏ）ｑ−Ｙ（ここでＸはＮＨであり、ＹはＣ１−３０アルキル、好ましくはＣ１−４アルキル、より好ましくはメチルであり、上記（Ｃ３Ｈ６Ｏ）−および（Ｃ２Ｈ４Ｏ）−基は、ブロック状、交互、周期的および／または統計的に、好ましくは統計的に配置されていてよく、基（Ｃ３Ｈ６Ｏ）−および（Ｃ２Ｈ４Ｏ）−のＸ−および−Ｙへの連結は自由に変わることができる）またはＯ−Ｇ１−Ｈ、好ましくはＸ−（Ｃ３Ｈ６Ｏ）ｐ−（Ｃ２Ｈ４Ｏ）ｑ−Ｙであり、
ｐは、モル平均に基づいて、０〜１５、好ましくは２〜１５、より好ましくは５〜１４の数であり、
ｑは、モル平均に基づいて、１２〜１２０、好ましくは２０〜５０、より好ましくは２５〜４０、さらに一層好ましくは３０〜４０の数である］。
【００５５】
１種または複数種のポリエステルＤにおいて、繰り返し構造単位（ａ１）の平均の数は、好ましくは３〜２０、より好ましくは４〜１５、より一層好ましくは４〜１０である。
【００５６】
１種または複数種のポリエステルＤにおいて、繰り返し構造単位（ａ２）の平均の数は、好ましくは１〜１０、より好ましくは１〜５、より一層好ましくは１〜３である。
【００５７】
１種または複数種のポリエステルＤにおいて、繰り返し構造単位（ａ１）の平均の数と繰り返し構造単位（ａ２）の平均の数との比は、好ましくは２〜８、より好ましくは３〜７である。
【００５８】
１種または複数種のポリエステルＡ、Ｂ、ＣおよびＤの平均分子量（Ｍｗ）は、好ましくは３０００〜４００００ｇ／ｍｏｌである。
【００５９】
ポリエステルＡ、Ｂ、ＣおよびＤにおいて、繰り返し構造単位（ａ１）および（ａ２）の全量は、１種または複数種のポリエステルＡ、Ｂ、ＣおよびＤの全重量を基準として、好ましくは、少なくとも３０重量％、より好ましくは少なくとも５０重量％、さらに一層好ましくは少なくとも８０重量％、極めて好ましくは少なくとも９０重量％である。
【００６０】
本発明の液体洗濯用洗剤組成物に含まれる成分ａ）の１種または複数種のポリエステルは、アルカリ性の環境において有利な安定性を有し、有益な溶解性を有し、有利にはアルカリ性組成物、例えば液体洗濯用洗剤組成物に明確に可溶性であり、また、脂肪質および油性の染みに対する有利なソイルリリース特性および汚れ除去特性（基本洗浄力：ｐｒｉｍａｒｙ  ｄｅｔｅｒｇｅｎｃｙ）を有する。
【００６１】
構造単位「Ｘ−（Ｃ３Ｈ６Ｏ）ｐ−（Ｃ２Ｈ４Ｏ）ｑ−Ｙ」における、および構造単位Ｇ１における基−Ｃ２Ｈ４Ｏは、式−ＣＨ２−ＣＨ２−Ｏ−のものである。
【００６２】
構造単位「Ｘ−（Ｃ３Ｈ６Ｏ）ｐ−（Ｃ３Ｈ６Ｏ）ｑ−Ｙ」における、および構造単位Ｇ１における基−Ｃ３Ｈ６Ｏは、式−ＣＨ（ＣＨ３）−ＣＨ２−Ｏ−または−ＣＨ２−ＣＨ（ＣＨ３）−Ｏ−のもの、すなわち以下の式のものである：
【００６３】
【化１３】
2017534731.tif 000015
構造単位Ｇ１における基（Ｃ４Ｈ８Ｏ）は、好ましくは、式−ＣＨ（ＣＨ３）−ＣＨ（ＣＨ３）−Ｏ−のもの、すなわち以下の式のものである：
【００６４】
【化１４】
2017534731.tif 000016
構造単位Ｇ１における基（Ｃ６Ｈ１２Ｏ）は、好ましくは、式−ＣＨ２−ＣＨ（ｎ−Ｃ４Ｈ９）−Ｏ−または−ＣＨ（ｎ−Ｃ４Ｈ９）−ＣＨ２−Ｏ−のもの、すなわち以下の式のものである：
【００６５】
【化１５】
2017534731.tif 000017
本発明の液体洗濯用洗剤組成物の成分ａ）の１種または複数種のポリエステルは、１つまたは複数の繰り返し構造単位に加えて、末端基を含む。上記末端基は、好ましくは、Ｈ、ＯＨ、ＯＣＨ３、ＨＯＧ１、Ｒ２、ＣＯ（Ｃ６Ｈ４）ＣＯＲ２およびＣＯ（Ｃ６Ｈ２）ＣＯＲ２Ｒ１ＣＯＲ２からなる群から選択される。繰り返し構造単位（ａ１）および（ａ２）のＣＯ基に連結される末端基は、好ましくは、ＨＯ、ＯＣＨ３、ＨＯＧ１およびＲ２からなる群から選択される。繰り返し構造単位（ａ１）および（ａ２）のＧ１基に連結される末端基は、Ｈ、ＣＯ（Ｃ６Ｈ４）ＣＯＲ２およびＣＯ（Ｃ６Ｈ２）ＣＯＲ２Ｒ１ＣＯＲ２からなる群から選択され、より好ましくはＨである。  
【００６６】
本発明の１つの好ましい実施態様において、本発明の液体洗濯用洗剤組成物の成分ａ）のポリエステルの繰り返し構造単位（ａ１）および（ａ２）の全ての末端基は、Ｒ２、ＣＯ（Ｃ６Ｈ４）ＣＯＲ２およびＣＯ（Ｃ６Ｈ２）ＣＯＲ２Ｒ１ＣＯＲ２からなる群から選択され、ここで、ＣＯ（Ｃ６Ｈ４）ＣＯＲ２は以下の式で表され：
【００６７】
【化１６】
2017534731.tif 000018
ＣＯ（Ｃ６Ｈ２）ＣＯＲ２Ｒ１ＣＯＲ２は以下の式で表される：
【００６８】
【化１７】
2017534731.tif 000019
［式中、
Ｒ２は、Ｘ−（Ｃ３Ｈ６Ｏ）ｐ−（Ｃ２Ｈ４Ｏ）ｑ−Ｙ（ここで、ＸはＮＨまたはＯであり、ＹはＣ１−３０アルキル、好ましくはＣ１ー４アルキル、より好ましくはメチルであり、上記（Ｃ３Ｈ６Ｏ）−および（Ｃ２Ｈ４Ｏ）−基は、ブロック状、交互、周期的および／または統計的に、好ましくはブロック状および／または統計的に配置されていてよく、基（Ｃ３Ｈ６Ｏ）−および（Ｃ２Ｈ４Ｏ）−のＸ−および−Ｙへの連結は自由に変わることができる）またはＯ−Ｇ１−Ｈ、好ましくはＸ−（Ｃ３Ｈ６Ｏ）ｐ−（Ｃ２Ｈ４Ｏ）ｑ−Ｙであり、
ｐは、モル平均に基づいて、０〜６０、好ましくは０〜３０、より好ましくは０〜１５の数であり、そして
ｑは、モル平均に基づいて、１〜３００、好ましくは５〜１２０、より好ましくは１５〜５０の数である］。
【００６９】
本発明の主題は、
ａ）以下のモノマーの重合反応により得ることができる１種または複数種のポリエステル：
Ｉ）ジメチルテレフタレート、および
ＩＩ）式ＨＯＣｎＨ２ｎＯＨ（式中、ｎは２〜１０、好ましくは２〜６の数である）、より好ましくは（ＨＯＣ２Ｈ４ＯＨ）、（ＨＯＣ３Ｈ６ＯＨ）、（ＨＯＣ４Ｈ８ＯＨ）または（ＨＯＣ６Ｈ１２ＯＨ）の１つまたは複数のアルキレングリコール、および
ＩＩＩ）式
Ｘａ−（Ｃ３Ｈ６Ｏ）ｐ−（Ｃ２Ｈ４Ｏ）ｑ−Ｙ
［式中、
Ｘａは、ＮＨ２またはＯＨであり、
Ｙは、Ｃ１−３０アルキル、好ましくはＣ１−４アルキル、より好ましくはメチルであり、上記（Ｃ３Ｈ６Ｏ）−および（Ｃ２Ｈ４Ｏ）−基は、ブロック状、交互、周期的および／または統計的に、好ましくはブロック状および／または統計的に配置されていてよく、基（Ｃ３Ｈ６Ｏ）−および（Ｃ２Ｈ４Ｏ）−のＸａ−および−Ｙへの連結は自由に変わることができ、
ｐは、モル平均に基づいて、０〜６０、好ましくは０〜３０、より好ましくは０〜１５の数であり、
ｑは、モル平均に基づいて、１〜３００、好ましくは５〜１２０、より好ましくは１５〜５０の数である］
の１つまたは複数のアルキルキャップポリアルキレングリコール、および
ＩＶ）式：
【００７０】
【化１８】
2017534731.tif 000020
［式中、
Ｒ１ａは、ＨまたはＣＯＯＨである］
の１つまたは複数の酸、
またはそれらの各無水物、好ましくはトリメリット酸無水物またはピロメリット酸二無水物、および
Ｖ）任意選択的に、１つまたは複数のさらなるモノマー、ここで、これらはモノマーＩ）〜ＩＶ）とは異なり、好ましくは、芳香族ジカルボン酸、それらの誘導体およびそれらの塩、より好ましくはフタル酸、イソフタル酸、３−スルホフタル酸、４−スルホフタル酸、５−スルホイソフタル酸およびそれらの塩、より一層好ましくは５−スルホイソフタル酸およびその塩からなる群から選択される、
ならびに
ｂ）１種または複数種の界面活性剤、
を含む液体洗濯用洗剤組成物である。
【００７１】
モノマーＩ）、ＩＩ）、ＩＩＩ）、ＩＶ）および任意選択的にＶ）の重合反応により得ることができる成分ａ）のポリエステルを、以下では「ポリエステルＺ」と呼ぶ。
【００７２】
モノマーＩＩＩ）の定義におけるＸａは、好ましくはＮＨ２である。
【００７３】
モノマーＩＩＩ）において、ｐおよびｑの合計は、モル平均に基づいて、好ましくは１〜３６０の数、より好ましくは５〜１５０の数、さらに一層好ましくは１５〜６５の数である。
【００７４】
上記の１つまたは複数の任意のモノマーＶ）は、好ましくは、５−スルホイソフタル酸およびその塩からなる群から選択される。好ましくは、上記塩は、ナトリウム、カリウム、カルシウムおよびアンモニウム塩からなる群から選択され、より好ましくは上記塩はナトリウム塩である。
【００７５】
好ましくは、本発明の液体の洗濯用洗剤組成物に含まれるポリエステルＺの平均分子量は、３０００〜４００００ｇ／ｍｏｌである。
【００７６】
本発明の液体洗濯用洗剤組成物に含まれる上記の１つまたは複数のポリエステルＺにおいて、重合においてモノマーＩ）から得られる繰り返し構造単位の平均数は、好ましくは、２〜２００、より好ましくは２〜９０、より一層好ましくは３〜７５、極めて好ましくは３〜４５であり、重合において１つまたは複数のモノマーＩＶ）から得られる繰り返し構造単位の平均数は、好ましくは、１〜２５、より好ましくは１〜１５である。
【００７７】
本発明の液体洗濯用洗剤組成物に含まれる上記の１つまたは複数のポリエステルＺにおいて、重合においてモノマーＩ）から得られる繰り返し構造単位の平均数と、重合において１つまたは複数のモノマーＩＶ）から得られる繰り返し構造単位の平均数との比は、好ましくは２〜８、より好ましくは３〜５である。
【００７８】
好ましくは、重合においてモノマーＩ）、ＩＩ）、ＩＩＩ）およびＩＶ）から得られる１つまたは複数のポリエステルＺの量は、１つまたは複数のポリエステルＺの全重量を基準として（２つの末端基は除く）、少なくとも３０重量％、より好ましくは少なくとも５０重量％、さらに一層好ましくは少なくとも８０重量％、極めて好ましくは少なくとも９０重量％である。
【００７９】
１つまたは複数のポリエステルＺにおいて、重合において１つまたは複数の任意モノマーＶ）から得られるポリマーの量は、１つまたは複数のポリエステルＺの全重量を基準として、好ましくは少なくとも０．１重量％、より好ましくは０．１重量％〜２５重量％、さらに一層好ましくは０．５重量％〜２０重量％である。
【００８０】
好ましくは、本発明の液体洗濯用洗剤組成物に含まれる１つまたは複数のポリエステルＺは、専らモノマーＩ）、ＩＩ）、ＩＩＩ）およびＩＶ）を重合することにより得ることができる。
【００８１】
本発明の１つの好ましい実施態様において、本発明の液体洗濯用洗剤組成物に含まれる１つまたは複数のポリエステルＺは、最初にモノマーＩＩＩ）およびＩＶ）の完全な反応によって前駆体を合成し、その後モノマーＩ）、ＩＩ）および任意選択的にＶ）とさらに反応させることにより得ることができる。
【００８２】
本発明の他の好ましい実施態様において、本発明の液体洗濯用洗剤組成物に含まれる１つまたは複数のポリエステルＺは、モノマーＩ）、ＩＩ）、ＩＩＩ）、ＩＶ）および任意選択的にＶ）の直接の反応により得ることができる。
【００８３】
本発明の液体洗濯用洗剤組成物のさらなる好ましい実施態様において、以下に記載されさらに「ポリエステルＡａ」と呼ぶ成分ａ）の１つまたは複数のポリエステルは、以下のモノマーの重合反応により得ることができる：
Ｉ）ジメチルテレフタレート、および
ＩＩ）（ＨＯＣ３Ｈ６ＯＨ）、および
ＩＩＩ）式
Ｘａ−（Ｃ３Ｈ６Ｏ）ｐ−（Ｃ２Ｈ４Ｏ）ｑ−Ｙ
［式中、
Ｘａは、ＮＨ２であり、
Ｙは、Ｃ１−３０アルキル、好ましくはＣ１−４アルキル、より好ましくはメチルであり、上記（Ｃ３Ｈ６Ｏ）−および（Ｃ２Ｈ４Ｏ）−基は、ブロック状、交互、周期的および／または統計的に、好ましくは統計的に配置されていてよく、基（Ｃ３Ｈ６Ｏ）−および（Ｃ２Ｈ４Ｏ）−のＸ−および−Ｙへの連結は、自由に変わることができ、
ｐは、モル平均に基づいて、０〜１５、好ましくは２〜１５、より好ましくは５〜１４の数であり、
ｑは、モル平均に基づいて、１２〜１２０、好ましくは２０〜５０、より好ましくは２５〜４０、さらに一層好ましくは３０〜４０の数である］
の１つまたは複数のアルキルキャップポリアルキレングリコール、および
ＩＶ）トリメリット酸無水物。
【００８４】
１つまたは複数のポリエステルＡａにおいて、重合においてモノマーＩ）から得られる繰り返し構造単位の平均の数は、好ましくは２〜１５、より好ましくは４〜１４、より一層好ましくは６〜１２である。
【００８５】
１つまたは複数のポリエステルＡａにおいて、重合において１つまたは複数のモノマーＩＶ）から得られる繰り返し構造単位の平均の数は、好ましくは１〜１０、より好ましくは１〜５、より一層好ましくは１〜３である。
【００８６】
１つまたは複数のポリエステルＡａにおいて、重合においてモノマーＩ）から得られる繰り返し構造単位の平均の数と、重合において１つまたは複数のモノマーＩＶ）から得られる繰り返し構造単位の平均の数との比は、好ましくは２〜８、より好ましくは３〜５、さらに一層好ましくは４である。
【００８７】
ポリエステルＡａを製造するための重合反応において、モノマーＩ）とモノマーＩＶ）とのモル比は、好ましくは２〜８、より好ましくは３〜５、さらに一層好ましくは４である。
【００８８】
本発明の液体洗濯用洗剤組成物のさらなる別の好ましい実施態様において、以下に記載されさらに「ポリエステルＢａ」と呼ぶ成分ａ）の１つまたは複数のポリエステルは、以下のモノマーの重合反応により得ることができる：
Ｉ）ジメチルテレフタレート、および
ＩＩ）（ＨＯＣ３Ｈ６ＯＨ）、および
ＩＩＩ）式
Ｘａ−（Ｃ３Ｈ６Ｏ）ｐ−（Ｃ２Ｈ４Ｏ）ｑ−Ｙ
［式中、
ＸａはＯＨであり、
Ｙは、Ｃ１−３０アルキル、好ましくはＣ１−４アルキル、より好ましくはメチルであり、上記（Ｃ３Ｈ６Ｏ）−および（Ｃ２Ｈ４Ｏ）−基は、ブロック状、交互、周期的および／または統計的に配置されていてよく、基（Ｃ３Ｈ６Ｏ）−および（Ｃ２Ｈ４Ｏ）−のＸ−およびＹへの連結は、自由に変わることができ、好ましくは、ブロック状で配置されていてよく、基（Ｃ３Ｈ６Ｏ）−ブロックはＸ−に連結しており、（Ｃ２Ｈ４Ｏ）−ブロックはＹに連結しており、
ｐは、モル平均に基づいて、０〜２０、好ましくは０〜１０、より好ましくは０〜５の数であり、
ｑは、モル平均に基づいて、１２〜１２０、好ましくは３０〜６０、より好ましくは４０〜５０の数である］
の１つまたは複数のアルキルキャップポリアルキレングリコール、および
ＩＶ）トリメリット酸無水物。
【００８９】
１つまたは複数のポリエステルＢａにおいて、モノマーＩ）の重合から得られる繰り返し構造単位の平均の数は、好ましくは２０〜７０、より好ましくは２５〜５５、より一層好ましくは３５〜４５である。
【００９０】
１つまたは複数のポリエステルＢａにおいて、重合において１つまたは複数のモノマーＩＶ）から得られる繰り返し構造単位の平均の数は、好ましくは１〜１５、より好ましくは５〜１３、より一層好ましくは８〜１２である。
【００９１】
１つまたは複数のポリエステルＢａにおいて、重合においてモノマーＩ）から得られる繰り返し構造単位の平均の数と、重合において１つまたは複数のモノマーＩＶ）から得られる繰り返し構造単位の平均の数との比は、好ましくは２〜８、より好ましくは３〜５、さらに一層好ましくは４である。
【００９２】
ポリエステルＢａを製造するための重合反応において、モノマーＩ）とモノマーＩＶ）とのモル比は、好ましくは２〜８、より好ましくは３〜５、さらに一層好ましくは４である。
【００９３】
本発明の液体洗濯用洗剤組成物のさらなる別の好ましい実施態様において、以下に記載されさらに「ポリエステルＣａ」と呼ぶ成分ａ）の１つまたは複数のポリエステルは、以下のモノマーの重合反応により得ることができる：
Ｉ）ジメチルテレフタレート、および
ＩＩ）好ましくは３〜５部の（ＨＯＣ３Ｈ６ＯＨ）：１部の（ＨＯＣ４Ｈ８ＯＨ）の比で混合された、（ＨＯＣ３Ｈ６ＯＨ）および（ＨＯＣ４Ｈ８ＯＨ）、および
ＩＩＩ）式
Ｘａ−（Ｃ３Ｈ６Ｏ）ｐ−（Ｃ２Ｈ４Ｏ）ｑ−Ｙ
［式中、
Ｘａは、ＮＨ２であり、
Ｙは、Ｃ１−３０アルキル、好ましくはＣ１−４アルキル、より好ましくはメチルであり、上記（Ｃ３Ｈ６Ｏ）−および（Ｃ２Ｈ４Ｏ）−基は、ブロック状、交互、周期的および／または統計的に、好ましくは統計的に配置されていてよく、基（Ｃ３Ｈ６Ｏ）−および（Ｃ２Ｈ４Ｏ）−のＸ−および−Ｙへの連結は、自由に変わることができ、
ｐは、モル平均に基づいて、０〜１５、好ましくは２〜１５、より好ましくは５〜１４の数であり、
ｑは、モル平均に基づいて、１２〜１２０、好ましくは２０〜５０、より好ましくは２５〜４０、さらに一層好ましくは３０〜４０の数である］
の１つまたは複数のアルキルキャップポリアルキレングリコール、および
ＩＶ）トリメリット酸無水物。
【００９４】
１つまたは複数のポリエステルＣａにおいて、重合においてモノマーＩ）から得られる繰り返し構造単位の平均の数は、好ましくは２〜１５、より好ましくは４〜１４、より一層好ましくは６〜１２である。
【００９５】
１つまたは複数のポリエステルＣａにおいて、重合において１つまたは複数のモノマーＩＶ）から得られる繰り返し構造単位の平均の数は、好ましくは１〜１０、より好ましくは１〜５、より一層好ましくは１〜３である。
【００９６】
１つまたは複数のポリエステルＣａにおいて、重合においてモノマーＩ）から得られる繰り返し構造単位の平均の数と、重合において１つまたは複数のモノマーＩＶ）から得られる繰り返し構造単位の平均の数との比は、好ましくは２〜８、より好ましくは３〜５、さらに一層好ましくは４である。
【００９７】
ポリエステルＣａを製造するための重合反応において、モノマーＩ）とモノマーＩＶ）とのモル比は、好ましくは２〜８、より好ましくは３〜５、さらに一層好ましくは４である。  
【００９８】
本発明の液体洗濯用洗剤組成物のさらなる別の好ましい実施態様において、以下に記載されさらに「ポリエステルＤａ」と呼ぶ成分ａ）の１つまたは複数のポリエステルは、以下のモノマーの重合反応により得ることができる：
Ｉ）ジメチルテレフタレート、および
ＩＩ）（ＨＯＣ３Ｈ６ＯＨ）、および
ＩＩＩ）式
Ｘａ−（Ｃ３Ｈ６Ｏ）ｐ−（Ｃ２Ｈ４Ｏ）ｑ−Ｙ
［式中、
Ｘａは、ＮＨ２であり、
Ｙは、Ｃ１−３０アルキル、好ましくはＣ１−４アルキル、より好ましくはメチルであり、上記（Ｃ３Ｈ６Ｏ）−および（Ｃ２Ｈ４Ｏ）−基は、ブロック状、交互、周期的および／または統計的に、好ましくは統計的に配置されていてよく、基（Ｃ３Ｈ６Ｏ）−および（Ｃ２Ｈ４Ｏ）−のＸ−および−Ｙへの連結は、自由に変わることができ、
ｐは、モル平均に基づいて、０〜１５、好ましくは２〜１５、より好ましくは５〜１４の数であり、
ｑは、モル平均に基づいて、１２〜１２０、好ましくは２０〜５０、より好ましくは２５〜４０、さらに一層好ましくは３０〜４０の数である］
の１つまたは複数のアルキルキャップポリアルキレングリコール、および
ＩＶ）ピロメリット酸二無水物
１つまたは複数のポリエステルＤａにおいて、重合においてモノマーＩ）から得られる繰り返し構造単位の平均の数は、好ましくは３〜２０、より好ましくは４〜１５、より一層好ましくは４〜１０である。
【００９９】
１つまたは複数のポリエステルＤａにおいて、重合において１つまたは複数のモノマーＩＶ）から得られる繰り返し構造単位の平均の数は、好ましくは１〜１０、より好ましくは１〜５、より一層好ましくは１〜３である。
【０１００】
１つまたは複数のポリエステルＤａにおいて、重合においてモノマーＩ）から得られる繰り返し構造単位の平均の数と、重合において１つまたは複数のモノマーＩＶ）から得られる繰り返し構造単位の平均の数との比は、好ましくは２〜８、より好ましくは３〜７である。
【０１０１】
ポリエステルＤａを製造するための重合反応において、モノマーＩ）とモノマーＩＶ）とのモル比は、好ましくは２〜８、より好ましくは３〜７である。
【０１０２】
好ましくは、重合においてモノマーＩ）、ＩＩ）、ＩＩＩ）およびＩＶ）から得られる１つまたは複数のポリエステルＡａ、Ｂａ、ＣａまたはＤａの量は、１つまたは複数のポリエステルＡａ、Ｂａ、ＣａまたはＤａの全重量を基準として（２つの末端基は除く）、少なくとも３０重量％、より好ましくは少なくとも５０重量％、さらに一層好ましくは少なくとも８０重量％、極めて好ましくは少なくとも９０重量％である。
【０１０３】
１つまたは複数のポリエステルＡａ、Ｂａ、ＣａおよびＤａの平均分子量（Ｍｗ）は、好ましくは３０００〜４００００ｇ／ｍｏｌである。
【０１０４】
成分ａ）の１種または複数種のポリエステルは、本発明の液体洗濯用洗剤組成物に、それぞれの場合に液体洗濯用洗剤組成物の全重量を基準として、好ましくは少なくとも０．１重量％、より好ましくは０．１重量％〜１０重量％、さらに好ましくは０．２重量％〜５重量％、極めて好ましくは０．２５重量％〜３重量％の量で存在する。  
【０１０５】
界面活性剤
本発明の液体洗濯用洗剤組成物は、１種または複数種の界面活性剤、成分ｂ）を含む。
【０１０６】
界面活性剤は、繊維材料から汚れを除去するのを助け、また除去された汚れを洗液中に溶解してまたは懸濁状態で維持するのを助ける。  
【０１０７】
好ましくは、液体洗濯用洗剤組成物の成分ｂ）の１種または複数種の界面活性剤は、陰イオン、非イオン、陽イオンおよび両性イオン界面活性剤からなる群から選択され、より好ましくは、陰イオン、非イオンおよび両性イオン界面活性剤からなる群から選択される。
【０１０８】
陰イオン界面活性剤
好ましい陰イオン界面活性剤は、アルキルスルホネート類およびアルキルエーテルスルフェート類である。
【０１０９】
好ましいアルキルスルホネート類は、アルキルベンゼンスルホネート類、特にＣ８〜Ｃ１５のアルキル鎖長を有する直鎖状アルキルベンゼンスルホネート類である。濃厚なアルカリ液に関して考えられる対イオンは、アンモニウムイオン、例えばアルキルベンゼンスルホン酸の１種または複数種のエタノールアミン類（例えばモノエタノールアミン（ＭＥＡ）およびトリエタノールアミン（ＴＥＡ））での中和により生成するものであり、あるいはアルカリ金属、例えばアルキルベンゼンスルホン酸のアルカリ水酸化物での中和から生じるものである。直鎖状のアルキルベンゼンスルホネート界面活性剤は、好ましくは８〜１５、より好ましくは１２〜１４のアルキル鎖長を有する、ＬＡＳであることができる。酸の中和は、液体洗濯用洗剤組成物への添加前に、または中和剤の過剰添加を通して調製プロセスにおいて行うことができる。
【０１１０】
好ましいアルキルエーテルスルフェート類（ＡＥＳ）は、以下の式のアルキルポリエトキシレートスルフェート陰イオン界面活性剤である
Ｒ３Ｏ（Ｃ２Ｈ４Ｏ）ｙＳＯ３−Ｍ＋
［式中、
Ｒ３は、好ましくは１０〜２２個の炭素原子、より好ましくは１２〜１６個の炭素原子を有する、飽和または不飽和アルキル鎖であり、
Ｍ＋は、化合物を水溶性にするカチオン、好ましくはアンモニウムカチオン、置換アンモニウムカチオン、アルカリ金属カチオンまたは上記のバッファーのリストから選択される他の物質であり、
ｙは、平均すると好ましくは１〜１５、より好ましくは１〜３、さらに一層好ましくは３である。］
【０１１１】
非イオン界面活性剤
非イオン界面活性剤には、一級および二級アルコールエトキシレート類、特にアルコール１モルあたり平均１〜２０モルのエチレンオキシドでエトキシル化されたＣ８−Ｃ２０脂肪族アルコール、更に特にはアルコール１モルあたり平均１〜１０モルのエチレンオキシドでエトキシル化されたＣ１０−Ｃ１５の一級および二級脂肪族アルコールが含まれる。非エトキシル化非イオン界面活性剤には、アルキルポリグリコシド類、グリセロールモノエーテル類およびポリヒドロキシアミド類（グルカミド）が含まれる。非イオン界面活性剤の混合物を使用してもよい。
【０１１２】
そこに含まれる場合に、液体洗濯用洗剤組成物は、好ましくは０．２重量％〜４０重量％、より好ましくは１重量％〜２０重量％の非イオン界面活性剤、例えばアルコールエトキシレート、ノニルフェノールエトキシレート、アルキルポリグリコシド、アルキルジメチルアミンオキシド、エトキシル化脂肪酸モノエタノールアミド、脂肪酸モノエタノールアミド、ポリヒドロキシアルキル脂肪酸アミドまたはグルコサミンのＮ−アシルＮ−アルキル誘導体（「グルカミド」）を含む。
【０１１３】
使用できる非イオン界面活性剤には、一級および二級アルコールエトキシレート類、特にアルコール１モルあたり平均１〜３５モルのエチレンオキシドでエトキシル化されたＣ８−Ｃ２０脂肪族アルコール、更に特にはアルコール１モルあたり平均１〜１０モルのエチレンオキシドでエトキシル化されたＣ１０−Ｃ１５の一級および二級脂肪族アルコールが含まれる。
【０１１４】
両性イオン界面活性剤
上記の液体洗濯用洗剤組成物は、両性イオン界面活性剤、例えば、アミンオキシドまたはベタインを、好ましくは液体洗濯用洗剤組成物の全重量を基準として１０重量％までの量で、含むことができる。
【０１１５】
使用される典型的なアミンオキシドは、以下の式のものである
Ｒ４Ｎ（Ｏ）（ＣＨ２Ｒ５）２
［式中、
Ｒ４は、長鎖部分であり、各ＣＨ２Ｒ５は、短鎖部分であり、
Ｒ５は、好ましくは、Ｈ、ＣＨ３および−ＣＨ２ＯＨからなる群から選択される］。
【０１１６】
概して、Ｒ４は、８〜１８の鎖長を有する一級または分岐状ヒドロカルビル部分であり、飽和または不飽和であることができる。好ましくは、Ｒ４は一級アルキル部分である。
【０１１７】
好ましいアミンオキシドは、Ｒ４がＣ８〜Ｃ１８アルキルであり、Ｒ５がＨである組成を有する。これらのアミンオキシドの例としては、Ｃ１２−１４アルキルジメチルアミンオキシド、ヘキサデシルジメチルアミンオキシド、オクタデシルアミンオキシドが挙げられる。
【０１１８】
好ましいアミンオキシド材料は、ドデシルジメチルアミンオキシドまたはＤＤＡＯとしても知られる、ラウリルジメチルアミンオキシドである。そのようなアミンオキシド材料は、Ｔｈｅ  Ｇｌｏｂａｌ  Ａｍｉｎｅｓ  Ｃｏｍｐａｎｙ  Ｐｔｅ．  Ｌｔｄ．からＧｅｎａｍｉｎｏｘ（Ｒ）ＬＡの商標名で市販されている。
【０１１９】
ベタインは、アルキルジメチルベタイン類またはアルキルアミドベタイン類であることができ、ここでアルキル基はＣ１２−１８鎖を有する。
【０１２０】
本発明の１つの好ましい実施態様において、上記の液体洗濯用洗剤組成物の成分ｂ）の１種または複数種の界面活性剤は、陰イオンおよび非イオン性界面活性剤からなる群から選択される。
【０１２１】
本発明の別の好ましい実施態様において、液体洗濯用洗剤組成物の成分ｂ）の１種または複数種の界面活性剤は、直鎖状アルキルベンゼンスルホネート類、アルキルエーテルスルフェート類、非イオン界面活性剤、アミンオキシド類およびベタイン類からなる群から選択され、好ましくは、液体洗濯用洗剤組成物の成分ｂ）の１種または複数種の界面活性剤は、直鎖状アルキルベンゼンスルホネート類、アルキルエーテルスルフェート類および非イオン界面活性剤からなる群から選択される。
【０１２２】
追加的な界面活性剤
好ましいＬＡＳ、ＡＥＳおよび非イオン性界面活性剤以外の他の界面活性剤を、洗剤用界面活性剤の混合物に添加してよい。
【０１２３】
あまり好ましくはないが、一部のアルキルスルフェート界面活性剤、特に非エトキシル化Ｃ１２−１５一級および二級アルキルスルフェート類を使用してもよい。セッケンもまた使用できる。セッケンのレベルは、好ましくは１０重量％未満である。
【０１２４】
好ましくは、本発明の液体洗濯用洗剤組成物の成分ｂ）の１種または複数種の界面活性剤は、それぞれの場合に液体洗濯用洗剤組成物の全重量を基準として、少なくとも５重量％、より好ましくは５重量％〜６５重量％、さらに好ましくは６〜６０重量％、極めて好ましくは７重量％〜５５重量％の量で存在する。
【０１２５】
さらなる任意成分
特許請求の範囲に記載の必須成分に加えて、上記の液体洗濯用洗剤組成物は、１つまたは複数の任意成分を含んでいてよく、例えばそれらは、洗剤組成物、特に洗濯用洗剤組成物で一般に使用される慣用成分を含んでいてよい。任意成分の例には、ビルダー、漂白剤、漂白活性化合物、漂白活性化剤、漂白触媒、光漂白剤、染料移動阻害剤、着色防止剤、再付着防止剤、分散剤、織物柔軟剤および帯電防止剤、蛍光増白剤、酵素、酵素安定化剤、泡調整剤、消泡剤、悪臭処理剤（ｍａｌｏｄｏｕｒ  ｒｅｄｕｃｅｒｓ）、保存剤、殺菌剤、ヒドロトロープ、繊維潤滑剤、収縮防止剤、バッファー、香料、加工助剤、着色剤、染料、顔料、腐食防止剤、フィラー、安定剤および洗浄組成物もしくは洗濯用洗剤組成物に関して慣用の他の成分が含まれるが、これらに限定はされない。
【０１２６】
ポリアルコキシル化ポリエチレンイミン
洗浄力を強化するために、本発明の液体洗濯用洗剤組成物においてソイルリリースポリマーと一緒に第２のポリマーを使用することが有利である。この第２ポリマーは、好ましくは、ポリアルコキシル化ポリエチレンイミン（ＥＰＥＩ）である。ポリエチレンイミン類は、エチレンイミン単位−ＣＨ２ＣＨ２ＮＨ−から構成される物質であり、分岐状の場合、窒素上の水素がエチレンイミン単位の別の鎖によって置き換えられている。これらのポリエチレンイミン類は、例えば、触媒、例えば二酸化炭素、重亜硫酸ナトリウム、硫酸、過酸化水素、塩酸、酢酸等の存在下でエチレンイミンを重合することによって製造することができる。これらのポリアミン骨格を製造するための具体的な方法は、ＵＳ２，１８２，３０６、ＵＳ３，０３３，７４６、ＵＳ２，２０８，０９５、ＵＳ２，８０６，８３９およびＵＳ２，５５３，６９６に開示されている。
【０１２７】
他のポリマー
ポリエステルソイルリリースポリマーおよび任意のＥＰＥＩに加えて、上記の液体洗濯用洗剤組成物は、他のポリマー材料、例えば：染料移動阻害ポリマー、再付着防止ポリマーおよび綿用ソイルリリースポリマー、特に改質セルロース材料に基づくものを含むことができる。特に、ＥＰＥＩが存在しない場合、液体洗濯用洗剤組成物は、ポリエチレングリコールおよび酢酸ビニルのポリマー、例えばＷＯ２００７／１３８０５４に記載される軽くグラフトされたコポリマーをさらに含んでいてもよい。グラフトベースとしての水溶性ポリアルキレンオキシドとビニルエステル成分の重合により形成した側鎖をベースとする、そのような両親媒性グラフトポリマーは、油性の汚れ除去を高レベルに維持しながら界面活性剤レベルを減少できる能力を有する。
【０１２８】
ヒドロトロープ
本発明との関連において、ヒドロトロープは、水でも、界面活性剤および他の成分（特にポリマーおよび金属イオン封鎖剤）の液体における可溶化を助けて等方性を付与する慣用の界面活性剤でもない溶媒である。適切なヒドロトロープの中で、モノプロピレングリコール（ＭＰＧ）、グリセロール、クメンスルホン酸ナトリウム、エタノール、他のグリコール類、例えばジプロピレングリコール、ジエーテル類および尿素を好ましいものとして挙げることができる。ＭＰＧおよびグリセロールが好ましいヒドロトロープである。  
【０１２９】
酵素  
プロテアーゼ、マンナナーゼ、ペクチン酸リアーゼ、クチナーゼ、エステラーゼ、リパーゼ、アミラーゼおよびセルラーゼから選択される１つまたは複数の酵素が上記液体洗濯用洗剤組成物中に存在し得るのが好ましい。あまり好ましくない追加酵素は、ペルオキシダーゼおよびオキシダーゼから選択され得る。酵素は、好ましくは、対応の酵素安定剤と存在する。全酵素含有量は、好ましくは、０重量％〜５重量％、より好ましくは０．５重量％〜５重量％、より一層好ましくは１重量％〜４重量％である。
【０１３０】
金属イオン封鎖剤
金属イオン封鎖剤が好ましくは含まれる。好ましい金属イオン封鎖剤には、Ｔｈｅｒｍｐｈｏ社から商標名ＤＥＱＵＥＳＴで入手可能な有機ホスホネート類、アルカンヒドロキシホスホネート類およびカルボキシレート類が含まれる。好ましい金属イオン封鎖剤のレベルは、液体洗濯用洗剤組成物の１０重量％未満、好ましくは５重量％未満である。特に好ましい金属イオン封鎖剤は、例えばＤｅｑｕｅｓｔ  ２０１０として販売されているＨＥＤＰ（１−ヒドロキシエチリデン−１，１，−ジホスホン酸）である。Ｄｅｑｕｅｓｔ（登録商標）２０６６（ジエチレントリアミンペンタ（メチレン−ホスホン酸）またはＨｅｐｔａｓｏｄｉｕｍ  ＤＴＰＭＰ）もまた適切であるが、劣った洗浄結果を与えるのであまり好ましくはない。
【０１３１】
バッファー
陰イオン性界面活性剤（例えばＬＡＳまたは脂肪酸からの）生成のために任意選択的に含まれる剤に加えて、ｐＨの制御のためにバッファーの存在が好ましい。可能なバッファーは、１種または複数種のエタノールアミン類、例えばモノエタノールアミン（ＭＥＡ）またはトリエタノールアミン（ＴＥＡ）である。それらは、好ましくは、１〜１５重量％のレベルで、液体洗濯用洗剤組成物に使用される。他の適切なアミノアルコールバッファー物質は、６１ｇ／ｍｏｌを超える分子量を有する化合物（ＭＥＡを含む）からなる群から選択することができる。既に述べた材料に加えて、適切な材料には以下も含まれる：
モノイソプロパノールアミン、ジイソプロパノールアミン、トリイソプロパノールアミン、モノアミノヘキサノール、２ー［（２ーメトキシエチル）メチルアミノ］−エタノール、プロパノールアミン、Ｎーメチルエタノールアミン、ジエタノールアミン、モノブタノールアミン、イソブタノールアミン、モノペンタノールアミン、１−アミノ−３−（２−メトキシエトキシ）−２−プロパノール、２−メチル−４−（メチルアミノ）−２−ブタノールおよびそれらの混合物。
【０１３２】
アミノエタノールバッファーの可能な代替物は、アルカリ水酸化物、例えば水酸化ナトリウムまたは水酸化カリウムである。
【０１３３】
さらなる高効率性能添加剤として、液体洗濯用洗剤組成物に、蛍光体および／または漂白触媒を含めることが有利であり得る。
【０１３４】
望ましくは、香料および着色剤も含まれる。上記液体洗濯用洗剤組成物は、粘度調整剤、泡増進剤（ｆｏａｍ  ｂｏｏｓｔｉｎｇ  ａｇｅｎｔｓ）、保存剤（例えば殺菌剤）、ｐＨ緩衝剤、高分子電解質、収縮防止剤、抗しわ剤、酸化防止剤、サンスクリーン、腐食防止剤、ドレープ付与剤（ｄｒａｐｅ  ｉｍｐａｒｔｉｎｇ  ａｇｅｎｔｓ）、帯電防止剤およびアイロン助剤を追加的に含んでいてもよい。液体洗濯用洗剤組成物はさらに、パール剤（ｐｅａｒｌｉｓｅｒｓ）および／または乳白剤または他の視覚的刺激およびシェーディング染料（ｓｈａｄｉｎｇ  ｄｙｅ）を含み得る。
【０１３５】
包装および用量添加
液体洗濯用洗剤組成物は、洗濯水に溶解性のポリマー製フィルムにおける単位用量として包装することができる。あるいは、上記液体は、上端または下端が閉じられた複数回用量添加用プラスチックパックにおいて供給されてもよい。用量添加手段はパックを用いて、キャップの一部としてまたは一体型系として供給してもよい。
【０１３６】
本発明のさらなる好ましい実施態様が、上記の好ましい実施態様の組み合わせから生じ得る。
【０１３７】
ここで本発明を以下の非限定的な例を参照しながらさらに説明する。
【実施例】
【０１３８】
例
以下の例は、本発明を詳細に説明することを意図するものであるが、本発明はそれらに限定はされない。特段の記載がない限り、材料の量に関して記載される全てのパーセントは、重量パーセント（％  ｂｙ  ｗｔ．またはｗｔ．−％）である。
【０１３９】
ポリマー製造
本発明の液体洗濯用洗剤組成物の成分ａ）のポリエステルは、当業者によく知られた方法により製造される。全般的な説明を以下に記載する。
【０１４０】
酢酸ナトリウム（ＮａＯＡｃ）およびチタンイソプロポキシドの混合物が、好ましくは、当該製造における触媒系として使用される。
【０１４１】
以下の略語および材料を使用する：
Ｅｎｄｃａｐ  １    ２０００ｇ／ｍｏｌの平均分子量、４：１のＥＯ対ＰＯの平均モル比、および統計的に分布したＥＯおよびＰＯ単位を有するアミン末端化メチル−エトキシル化−プロポキシル化ポリエーテル
Ｅｎｄｃａｐ  ２    ２０００ｇ／ｍｏｌの平均分子量を有するモノメチル−エトキシル化−ポリエーテル
Ｅｎｄｃａｐ  ３    ２１００ｇ／ｍｏｌの平均分子量を有し、ＥＯ単位のモル平均数が４５であり、ＰＯ単位のモル平均数が２であり、ＥＰおよびＰＯ単位がブロック状に分布しているモノメチル−エトキシル化−プロポキシル化ポリエーテルモノ−オール。
ＴＭＡＡ    トリメリット酸無水物
ＰＭＡＤＡ    ピロメリット酸二無水物
ＤＭＴ    ジメチルテレフタレート
ＰＧ    １，２−プロピレングリコール
ＢＧ    ２，３−ブチレングリコール
ＴＩＰ    チタンイソプロポキシド
ＮａＯＡｃ    酢酸ナトリウム
ａ．ｍ．    活性物質
【０１４２】
ポリエステルの製造のための一般的な手順
ポリエステル合成は、２ステップまたは３ステップのいずれかの方法において、酢酸ナトリウム（ＮａＯＡｃ）およびチタンイソプロポキシド（ＴＩＰ）を触媒系として使用する、ジメチルテレフタレート（ＤＭＴ）、三塩基もしくは四塩基酸もしくは酸無水物、好ましくはトリメリット酸無水物（ＴＭＡＡ）またはピロメリット酸二無水物（ＰＭＡＤＡ）、１種または複数種のアルキレングリコール、好ましくは１，２−プロピレングリコール（ＰＧ）、アルキルキャップポリアルキレングリコールおよび任意選択的に追加的なモノマーＶ）の反応により、実施される。
【０１４３】
３ステップ法では、専ら関連の酸無水物を関連のアルキルキャップポリアルキレングリコールと反応させることにより、最初に前駆体を合成する。
【０１４４】
前駆体合成（３ステップ法用）
アルキルキャップポリアルキレングリコールを五つ口丸底フラスコに計り入れ、内容物を撹拌しながら連続的な５ｌ／ｈの窒素流下で５０℃に加熱する。関連の酸無水物を添加し、混合物を５０〜６０℃で３０分間撹拌し、その後１５０℃で１時間撹拌する。その後、圧力を３０分以内に１０ｍｂａｒに低下させる。１５０℃／１０ｍｂａｒでの２時間後、混合物を冷却する。
【０１４５】
エステル交換
３ステップ法に関しては、ＤＭＴ、１種または複数種のアルキレングリコール、任意の追加的なモノマーＶ）および触媒量のＮａＯＡｃを、冷却した前駆体を含む五つ口丸底フラスコに添加する。
【０１４６】
２ステップ法に関しては、アルキルキャップポリアルキレングリコールを五つ口丸底フラスコに計り入れ、内容物を撹拌しながら連続的な５ｌ／ｈの窒素流下で５０℃に加熱する。酸無水物、ＤＭＴ、１種または複数種のアルキレングリコール、任意の追加的なモノマーＶ）および触媒量のＮａＯＡｃを、その後添加する。
【０１４７】
２ステップ法および３ステップ法の両方に関して、混合物をその後、溶融および均一化目的のために慎重に１時間１７０℃に加熱する。約８０℃の温度で、ＴＩＰ（例えば０．２ｇ）を添加する。１時間以内に温度を２１０℃に上昇させる。反応容器内の温度が１８０℃に到達したら、反応混合物を窒素流（５ｌ／ｈ）によりパージする。エステル交換の間に、メタノールが形成し、反応混合物から放出され、系から留去される（蒸留温度＜５５℃）。混合物を２１０℃で２時間撹拌した後、窒素流を止め、圧力を１．５時間以内に６００ｍｂａｒに低下させる。その後、１．５時間以内に圧力を５００ｍｂａｒに低下させる。
【０１４８】
重縮合
混合物を２３０℃に加熱する。この温度で、圧力を再度、２０分の期間にわたって５００ｍｂａｒに、５０分以内に２００ｍｂａｒに、そして８０分以内に２０ｍｂａｒに設定する。その後、圧力を１０分以内に１ｍｂａｒに低下させる。混合物を、１ｍｂａｒで２３０℃で４時間撹拌する。反応混合物を１６０℃に冷却する。窒素で真空を解き、溶融ポリマーをガラス製ジャーにおいて保管する。
【０１４９】
【表１】
2017534731.tif 000021
【０１５０】
【表２】
2017534731.tif 000022
【０１５１】
【表３】
2017534731.tif 000023
【０１５２】
【表４】
2017534731.tif 000024
【０１５３】
【表５】
2017534731.tif 000025
【０１５４】
【表６】
2017534731.tif 000026
【０１５５】
【表７】
2017534731.tif 000027
【０１５６】
代表的なポリエステルを含む液体洗濯用洗剤組成物
例Ｉに従って製造した代表的なポリエステルを含む一連の液体洗濯用洗剤組成物を、上記ポリエステルを洗濯用組成物に導入する能力を示すために、表Ａに従って製造した。
【０１５７】
【表８】
2017534731.tif 000028
【０１５８】
表ＡおよびＢの組成物において使用される成分に関する略語一覧：
ＬＡＳは、Ｃ１２−１４直鎖状アルキルベンゼンスルホン酸塩、ナトリウム塩である
ＳＬＥＳ  ２ＥＯは、２モルのＥＯを有するラウリルエーテル硫酸ナトリウム（Ｇｅｎａｐｏｌ（登録商標）ＬＲＯ、Ｃｌａｒｉａｎｔ）である。
【０１５９】
ＮＩ  ７ＥＯは、Ｃ１２−１５アルコールエトキシレート７ＥＯ非イオン性（Ｇｅｎａｐｏｌ（登録商標）ＬＡ０７０、Ｃｌａｒｉａｎｔ）である。
【０１６０】
脂肪酸は、Ｃ１２−１８  のパーム核脂肪酸（ｓｔｒｉｐｐｅｄ  ｐａｌｍ  ｋｅｒｎｅｌ  ｆａｔｔｙ  ａｃｉｄ）である。
【０１６１】
ＳＲＰ１は、例Ｉに従って製造されたポリエステルである。
【０１６２】
ＴＥＡ    トリエタノールアミン
洗剤組成物における安定性試験
一連の代表的な液体洗濯用洗剤組成物（ソイルリリースポリマーを除く組成物および含む組成物の両方）を、表Ｂに従って製造した。サンプル１〜４は、緩衝系として水酸化ナトリウムを含む。サンプル５〜７は、緩衝系としてトリエタノールアミンを含む。ソイルリリースポリマーを含むそれらの組成物を、ポリマーの加水分解安定性を決定するために保管試験に付した。
【０１６３】
【表９】
2017534731.tif 000029
【０１６４】
使用される成分に関する略語一覧：
ＴｅｘＣａｒｅ（登録商標）ＳＲＮ１７０は、−ＯＯＣ−（１，４−フェニレン）−ＣＯＯ−構造単位および−Ｏ−ＣＨ２ＣＨ２−Ｏ−構造単位を含む、すなわち、本発明の液体洗濯用洗剤組成物に含まれる成分ａ）のポリエステルの繰り返し構造単位（ａ１）のみを含み、本発明の液体洗濯用洗剤組成物に含まれる成分ａ）のポリエステルの繰り返し構造単位（ａ２）を含まない、比較用のソイルリリースポリマーである。
【０１６５】
ＳＲＰ２は、例ＩＩＩに従って製造されたポリエステルである。
【０１６６】
ソイルリリース試験
成分ａ）のポリエステルを含み、表Ｂにリストとして示された組成に従って製造された本発明の液体洗濯用洗剤組成物を、それらのソイルリリース性能に関して、Ｌｉｎｉ  Ａｐｐａｒａｔｕｓを用いて「ダーティー−モーターオイル（Ｄｉｒｔｙ−Ｍｏｔｏｒ  Ｏｉｌ）」試験（ＤＭＯ−Ｔｅｓｔ）」に従って試験した。上記試験のための条件を表Ｃに一覧で示す。
【０１６７】
【表１０】
2017534731.tif 000030
【０１６８】
試験布として、白色ポリエステル標準見本（ＷＦＫ  Ｔｅｓｔｇｅｗｅｂｅ  ＧｍｂＨ製ＷＦＫ  ３０Ａ）を使用した。上記布を、保管した液体洗濯用洗剤組成物で３回予備洗浄した。当該見本をその後すすぎ、乾燥し、２５μｌのモーター廃油で汚した。１時間後、汚した布を、予備洗浄ステップで使用したのと同じ保管した液体洗濯用洗剤組成物で再度洗浄した。洗浄した見本をすすぎ、乾燥した後に、汚れた布の４５７ｎｍでの発光の測定を、分光光度計（Ｄａｔａｃｏｌｏｒ６５０）を用いて行った。
【０１６９】
きれいな汚れていない見本の発光Ｒｃ、洗浄前の汚れた見本の発光Ｒｕおよび洗浄した見本の発光Ｒｗに基づいて、ソイルリリース指数（ＳＲＩ）を定義することができる：
【０１７０】
【数１】
2017534731.tif 000031
汚れの除去はポリマーなしの洗剤の性能にも依存するので、標準化した値ＳＲＩｎｏｒｍを、ポリマーを有するＳＲＩに関する値を、ポリマーなしのＳＲＩ値で除することにより測定することができる。得られる量はもうＲｃに依存せず、従って測定および計算を単純化する。ベース洗剤に対して改善がない場合には１の値が算出され、従って１を引くことによりベースラインが０にリセットされ、従って：
【０１７１】
【数２】
2017534731.tif 000032
上記ソイルリリースポリマーを含む保管した液体洗濯用洗剤組成物に関して得られた洗浄結果を、表Ｄに示す。値は、ＴｅｘＣａｒｅ（登録商標）ＳＲＮ１７０の新しく調製したサンプルから得られた値で標準化される。
【０１７２】
加水分解の測定
アルカリ条件下でのソイルリリースポリエステルの加水分解からの主要な生成物の１つは、テレフタル酸である。従って、加水分解安定性を、ＨＰＬＣによりテレフタル酸含有量を測定することによってモニターした。
【０１７３】
ＨＰＬＣ分析：多孔度８０Åおよび粒径４μｍを有する２５０ｘ４．６ｍｍの寸法のＳｙｎｅｒｇｉ  Ｐｏｌａｒ  ＲＰカラム上に、１０μｌのサンプルを注入した。検出は、ダイオードアレイ検出器上において２４０ｎｍでモニターした。２つの溶出剤を用いて勾配をつくりだした。溶出剤Ａは、９５／５％（ｖ／ｖ）水／アセトニトリル混合物における０．００５ｍｏｌ／ｌの重硫酸テトラブチルアンモニウムであった。溶出剤Ｂは、５／９５％（ｖ／ｖ）水／アセトニトリル混合物であった。分離は、１ｍｌ／分の流量で実施した。定量化は、１〜３０ｍｇ／ｋｇの範囲におけるテレフタル酸の溶液を外的に較正することにより行った。
【０１７４】
達し得る遊離のテレフタル酸の最大濃度を決定するために、サンプルを独立に完全に加水分解した。これは、３ｇのＫＯＨ溶液（２ｍｏｌ／ｄｍ３）および１５ｇの水を有するバイアルに３００ｍｇのポリマーを添加し、その後該溶液を１３０℃に加熱し、それを１．５時間維持することにより行った。冷却後、溶液を１重量％に希釈し、ＨＰＬＣにより上記のようにテレフタル酸含有量を測定した。当該濃度（ｍｇ／ｋｇで測定）をその後、最大可能テレフタル酸濃度のパーセントに変換した。そのように計算された加水分解度に関する値を表Ｄに示す。
【０１７５】
製造した組成物は４０℃で２８日間保管した。その後、ポリエステルの加水分解を、ＨＰＬＣ分析によりテレフタル酸の濃度を測定することにより決定した。表Ｄに報告される値はまた、ＴｅｘＣａｒｅ（登録商標）ＳＲＮ１７０の時を経たサンプル、すなわち表Ｂの組成物２および６に対して得られる値と比較して示される。
【０１７６】
【表１１】
2017534731.tif 000033
【０１７７】
基本洗浄力
成分ａ）のポリエステルを含有する本発明の液体洗濯用洗剤組成物により、織物を含むポリエステルからの、油性および脂肪質の汚れに関して有利な汚れ除去が示される。表Ｂからの組成物１（ポリマーを含まない）および３（例１に従って製造されたポリエステルを含む）を、表Ｅに詳細に記載された試験プロトコールに従って試験した。Ｃｅｎｔｅｒ  ｆｏｒ  Ｔｅｓｔ  Ｍａｔｅｒｉａｌｓ（オランダ）から購入した、汚れた布を使用した。洗浄前、および１回の洗浄サイクル後に色測定を実施し、ＣＩＥ−Ｌ＊、ａ＊およびｂ＊値を観察した。以下の式に従ってΔＥの値を算出することにより、性能を測定した：
【０１７８】
【数３】
2017534731.tif 000034
【０１７９】
【表１２】
2017534731.tif 000035
【０１８０】
基本洗浄力の結果を表Ｆに示す。
【０１８１】
【表１３】
2017534731.tif 000036
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
ａ）１つまたは複数の繰り返し構造単位（ａ１）および１つまたは複数の繰り返し構造単位（ａ２）
【化１】
2017534731.tif 000041
［式中、
Ｇ１は、１つまたは複数の（Ｃ２Ｈ４Ｏ）、（Ｃ３Ｈ６Ｏ）または（Ｃ４Ｈ８Ｏ）であり、
Ｒ１は、ＨまたはＣＯＲ２であり、
Ｒ２は、Ｘ−（Ｃ３Ｈ６Ｏ）ｐ−（Ｃ２Ｈ４Ｏ）ｑ−Ｙ（ここでＸはＮＨであり、ＹはＣ１−４アルキル、より好ましくはメチルであり、上記（Ｃ３Ｈ６Ｏ）−および（Ｃ２Ｈ４Ｏ）−基は、ブロック状、交互、周期的および／または統計的に、好ましくはブロック状および／または統計的に配置されていてよく、基（Ｃ３Ｈ６Ｏ）−および（Ｃ２Ｈ４Ｏ）−のＸ−および−Ｙへの連結は自由に変わることができる）であり、
ｐは、モル平均に基づいて、０〜６０、好ましくは０〜３０、より好ましくは０〜１５の数であり、
ｑは、モル平均に基づいて、１〜３００、好ましくは５〜１２０、より好ましくは１５〜５０の数である］
を含み、３０００〜４００００ｇ／ｍｏｌの平均分子量（Ｍｗ）を有する１種または複数種のポリエステル、ここで、該ポリエステルは、１つまたは複数の繰り返し構造単位に加えて、繰り返し構造単位（ａ１）および（ａ２）のＣＯ基に連結され、ＨＯ、ＯＣＨ３、ＨＯＧ１およびＲ２からなる群から選択される末端基、または繰り返し構造単位（ａ１）および（ａ２）のＧ１基に連結され、Ｈ、ＣＯ（Ｃ６Ｈ４）ＣＯＲ２およびＣＯ（Ｃ６Ｈ２）ＣＯＲ２Ｒ１ＣＯＲ２からなる群から選択され、より好ましくはＨである末端基を含む、
および
ｂ）１種または複数種の界面活性剤、
を含む液体の洗濯用洗剤組成物であって、
成分ａ）の１種または複数種のポリエステルは、上記の液体洗濯用洗剤組成物の全重量を基準として、０．１重量％〜１０重量％の量で存在し、
成分ｂ）の１種または複数種の界面活性剤は、上記の液体洗濯用洗剤組成物の全重量を基準として、５重量％〜６５重量％の量で存在する、
液体の洗濯用洗剤組成物。
【請求項２】
１つまたは複数の繰り返し構造単位（ａ２）が、繰り返し構造単位（ａ２．１）および（ａ２．２）からなる群から選択されることを特徴とする、請求項１に記載の液体洗濯用洗剤組成物。
【化２】
2017534731.tif 000042
【請求項３】
ｐおよびｑの合計が、モル平均に基づいて、１〜３６０の数、好ましくは５〜１５０の数、より好ましくは１５〜６５の数であることを特徴とする、請求項１または２に記載の液体洗濯用洗剤組成物。
【請求項４】
成分ａ）の１種または複数種のポリエステルが、追加的に１つまたは複数の繰り返し構造単位（ａ３）を含むことを特徴とする、請求項１〜３のいずれか１つに記載の液体洗濯用洗剤組成物。
【化３】
2017534731.tif 000043
［式中、
Ｇ１は、１つまたは複数の（Ｃ２Ｈ４Ｏ）、（Ｃ３Ｈ６Ｏ）または（Ｃ４Ｈ８Ｏ）であり、そして
Ｘ＋は、対イオン、好ましくはＮａ＋、Ｋ＋、Ｃａ２＋／２またはＮＨ４＋、より好ましくはＮａ＋である］。
【請求項５】
成分ａ）の１種または複数種のポリエステルにおける繰り返し構造単位（ａ１）の平均数が、２〜２００、好ましくは２〜９０、より好ましくは３〜７５、より一層好ましくは３〜４５であり、成分ａ）の１種または複数種のポリエステルにおける繰り返し構造単位（ａ２）の平均数が、１〜２５、好ましくは１〜１５であることを特徴とする、請求項１〜４のいずれか１つに記載の液体洗濯用洗剤組成物。
【請求項６】
成分ａ）の１種または複数種のポリエステルにおける繰り返し構造単位（ａ１）の平均数と成分ａ）の１種または複数種のポリエステルにおける繰り返し構造単位（ａ２）の平均数との比が、２〜８、好ましくは３〜５であることを特徴とする、請求項１〜５のいずれか１つに記載の液体洗濯用洗剤組成物。
【請求項７】
成分ａ）の１種または複数種のポリエステルにおける繰り返し構造単位（ａ１）および（ａ２）の全量が、成分ａ）の１種または複数種のポリエステルの全重量を基準として、少なくとも３０重量％、好ましくは少なくとも５０重量％、より好ましくは少なくとも８０重量％、より一層好ましくは少なくとも９０重量％であることを特徴とする、請求項１〜６のいずれか１つに記載の液体洗濯用洗剤組成物。
【請求項８】
成分ａ）の１種または複数種のポリエステルにおける繰り返し構造単位（ａ３）の量が、成分ａ）の１種または複数種のポリエステルの全重量を基準として、少なくとも０．１重量％、好ましくは０．１重量％〜２５重量％、より好ましくは０．５重量％〜２０重量％であることを特徴とする、請求項４〜７のいずれか１つに記載の液体洗濯用洗剤組成物。
【請求項９】
成分ａ）の１種または複数種のポリエステルの繰り返し構造単位が専ら、繰り返し構造単位（ａ１）および（ａ２）からなる群から選択されることを特徴とする、請求項１〜３および５〜７のいずれか１つに記載の液体洗濯用洗剤組成物。
【請求項１０】
Ｇ１が（Ｃ３Ｈ６Ｏ）であることを特徴とする、請求項１〜９のいずれか１つに記載の液体洗濯用洗剤組成物。
【請求項１１】
成分ａ）の１種または複数種のポリエステルが、繰り返し構造単位（ａ１）および（ａ２）からなる群から専ら選択される繰り返し構造単位を含み、それにより、１つまたは複数の繰り返し構造単位（ａ１）および１つまたは複数の繰り返し構造単位（ａ２）が存在しなければならないことを特徴とする、請求項１〜３、５〜７、９および１０のいずれか１つに記載の液体洗濯用洗剤組成物。
【化４】
2017534731.tif 000044
［式中、
Ｇ１は、（Ｃ３Ｈ６Ｏ）であり、
Ｒ１は、Ｈであり、
Ｒ２は、Ｘ−（Ｃ３Ｈ６Ｏ）ｐ−（Ｃ２Ｈ４Ｏ）ｑ−Ｙ（ここでＸはＮＨであり、ＹはＣ１−４アルキル、より好ましくはメチルであり、上記（Ｃ３Ｈ６Ｏ）−および（Ｃ２Ｈ４Ｏ）−基は、ブロック状、交互、周期的および／または統計的に、好ましくは統計的に配置されていてよく、基（Ｃ３Ｈ６Ｏ）−および（Ｃ２Ｈ４Ｏ）−のＸ−および−Ｙへの連結は自由に変わることができる）であり、
ｐは、モル平均に基づいて、０〜１５、好ましくは２〜１５、より好ましくは５〜１４の数であり、
ｑは、モル平均に基づいて、１２〜１２０、好ましくは２０〜５０、より好ましくは２５〜４０、さらに一層好ましくは３０〜４０の数である］。
【請求項１２】
ｐが、モル平均に基づいて、２〜１５の数であることを特徴とする、請求項１１に記載の液体洗濯用洗剤組成物。
【請求項１３】
成分ａ）の１種または複数種のポリエステルが、それぞれの場合に液体洗濯用洗剤組成物の全重量を基準として、０．２重量％〜５重量％、より一層好ましくは０．２５重量％〜３重量％の量で存在することを特徴とする、請求項１〜１２のいずれか１つに記載の液体洗濯用洗剤組成物。
【請求項１４】
成分ｂ）の１種または複数種の界面活性剤が、陰イオン、非イオン、陽イオンおよび両性イオン界面活性剤からなる群から選択されることを特徴とする、請求項１〜１３のいずれか１つに記載の液体洗濯用洗剤組成物。
【請求項１５】
成分ｂ）の１種または複数種の界面活性剤が、直鎖状アルキルベンゼンスルホネート類、アルキルエーテルスルフェート類、非イオン界面活性剤、アミンオキシド類およびベタイン類からなる群から選択され、好ましくは、直鎖状アルキルベンゼンスルホネート類、アルキルエーテルスルフェート類および非イオン界面活性剤からなる群から選択されることを特徴とする、請求項１４に記載の液体洗濯用洗剤組成物。
【請求項１６】
成分ｂ）の１種または複数種の界面活性剤が、それぞれの場合に液体洗濯用洗剤組成物の全重量を基準として、６重量％〜６０重量％、より一層好ましくは７重量％〜５５重量％の量で存在することを特徴とする、請求項１〜１５のいずれか１つに記載の液体洗濯用洗剤組成物。
【国際調査報告】
2017534731.tif 000045
2017534731.tif 000046